(57)【要約】【課題】集客効果および訴求効果が優れた包装箱を提供する。【解決手段】周壁と、周壁を構成する各壁部（端壁１１Ａ，１１Ｂ、側壁１２Ａ，１２Ｂに連設したフラップ１５Ａ，１５Ｂ〜フラップ１８Ａ，１７８とを備えた包装箱において、第１壁部（第１側壁１１Ａ）に、横方向に延びる第１破断手段２１と、第１破断手段２１の両端から縦方向に延びる一対の第２破断手段２２，２２と、これら第２破断手段２２，２２の端部間にかけて横方向に延びる第３破断手段２３とを設け、これら第１から第３破断手段２１〜２３により囲繞された内部を分離可能とするとともに、第１フラップ（上側外フラップ１７Ａ）に、第１壁部との境界線上の２点間にかけて迂回するように第４破断手段２４を設け、第４破断手段２４および境界線により囲繞された内部を直立可能な表示部３０とする。【選択図】図１
2006160320.tif 000002
【特許請求の範囲】
【請求項１】
外周を囲繞する周壁と、該周壁を構成する各壁部に連設したフラップとを備えた包装箱において、
少なくとも１つの第１壁部に、連続する第１フラップとの境界線と平行な横方向に延びる第１破断手段と、該第１破断手段の両端から少なくとも前記第１フラップとの境界線上にかけて縦方向に延びる一対の第２破断手段と、これら第２破断手段の端部間にかけて横方向に延びる第３破断手段とを設け、これら第１から第３破断手段により囲繞された内部を分離可能とするとともに、
前記第１フラップに、前記第１壁部との境界線上における前記第２破断手段の両側の２点間にかけて迂回するように第４破断手段を設け、該第４破断手段および前記境界線により囲繞された内部を直立可能な表示部としたことを特徴とする包装箱。
【請求項２】
外周を囲繞する周壁と、該周壁を構成する各壁部に連設したフラップとを備えた包装箱において、
少なくとも１つの第１壁部に、連続する第１フラップとの境界線と平行な横方向に延びる第１破断手段と、該第１破断手段の両端から前記第１フラップとの境界線近傍にかけて縦方向に延びる一対の第２破断手段と、これら第２破断手段の端部間にかけて横方向に延びる第３破断手段とを設け、これら第１から第３破断手段により囲繞された内部を分離可能とするとともに、
前記第１フラップに、前記第１壁部との境界線上の２点から迂回するように第４破断手段を設け、該第４破断手段および前記境界線により囲繞された内部を直立可能な表示部としたことを特徴とする包装箱。
【発明の詳細な説明】
【技術分野】
【０００１】
本発明は、商品の輸送に使用するとともに、店頭で一部を破断して内部に収容した商品を露出させて展示可能とした包装箱に関するものである。
【背景技術】
【０００２】
本発明の包装箱に関連する先行技術文献情報としては次のものがある。
【０００３】
【特許文献１】実開平２−１４８９２６号公報
【０００４】
この特許文献１の包装箱は、四方を囲繞する４つの壁面のうち、対向する一対の側壁に、横方向に延びる第１破断手段が設けられるとともに、該第１破断手段の両端から外フラップとの境界線にかけて延びる第２破断手段が設けられている。また、前記側壁と外フラップとの境界部分には、前記第２破断手段の上端から外向きに延びる第３破断手段が設けられ、前記第１および第２破断手段により囲繞された部分を外フラップと一緒に分離できるように構成している。また、この引用文献では、側壁の一部および外フラップを分離した状態で、上側に位置する内フラップが内部の商品を覆い隠すのを防止するために、第４破断手段が設けられ、一部を分離できるように構成している。
【０００５】
この包装箱では、店頭において商品を露出させて積み重ねることができるため、販売促進効果を得ることができる。しかし、この商品を収容した包装箱に消費者が近づかなければ、どの様な商品であるか判断できないため、集客効果および訴求効果が乏しいという難点がある。
【発明の開示】
【発明が解決しようとする課題】
【０００６】
本発明では、集客効果および訴求効果が優れた包装箱を提供することを課題とするものである。
【課題を解決するための手段】
【０００７】
前記課題を解決するため、本発明の第１の包装箱は、外周を囲繞する周壁と、該周壁を構成する各壁部に連設したフラップとを備えた包装箱において、少なくとも１つの第１壁部に、連続する第１フラップとの境界線と平行な横方向に延びる第１破断手段と、該第１破断手段の両端から少なくとも前記第１フラップとの境界線上にかけて縦方向に延びる一対の第２破断手段と、これら第２破断手段の端部間にかけて横方向に延びる第３破断手段とを設け、これら第１から第３破断手段により囲繞された内部を分離可能とするとともに、前記第１フラップに、前記第１壁部との境界線上における前記第２破断手段の両側の２点間にかけて迂回するように第４破断手段を設け、該第４破断手段および前記境界線により囲繞された内部を直立可能な表示部としている。
【０００８】
また、本発明の第２の包装箱は、外周を囲繞する周壁と、該周壁を構成する各壁部に連設したフラップとを備えた包装箱において、少なくとも１つの第１壁部に、連続する第１フラップとの境界線と平行な横方向に延びる第１破断手段と、該第１破断手段の両端から前記第１フラップとの境界線近傍にかけて縦方向に延びる一対の第２破断手段と、これら第２破断手段の端部間にかけて横方向に延びる第３破断手段とを設け、これら第１から第３破断手段により囲繞された内部を分離可能とするとともに、前記第１フラップに、前記第１壁部との境界線上の２点から迂回するように第４破断手段を設け、該第４破断手段および前記境界線により囲繞された内部を直立可能な表示部としている。
【０００９】
なお、第１の包装箱において、「少なくとも前記第１フラップとの境界線上にかけて縦方向に延びる一対の第２破断手段」とは、該第２破断手段の先端が、第１壁部と第１フラップとの境界線上にかけて延びる構成、および、境界線を越えて第１フラップまで延びる構成を意図している。また、第２の包装箱において、「前記第１フラップとの境界線近傍にかけて縦方向に延びる一対の第２破断手段」とは、該第２破断手段の先端が、第１壁部と第１フラップとの境界線まで到達しない構成を意図している。さらに、これらの包装箱において、「周壁を構成する各壁部」とは、平面視矩形状の包装箱の場合には、一対の端壁および側壁である。
【発明の効果】
【００１０】
本発明の包装箱では、第１から第３破断手段により内部を分離することにより、収容した内部の商品を露出させることができるため、従来と同様の販売促進効果を得ることができる。しかも、本発明では、この一部を開口させた第１壁部に連続した第１フラップに、第４破断手段に囲繞され、第１壁部と連続した直立可能な表示部を設けているため、該表示部に商品に基づいた広告を施しておくことにより、包装箱の展示場所から離れた位置の消費者でも商品を確認することができる。その結果、集客効果および訴求効果を大幅に向上することができる。
【発明を実施するための最良の形態】
【００１１】
以下、本発明の実施の形態を図面に従って説明する。
【００１２】
図１から図６は、本発明の実施形態に係る包装箱を示す。この包装箱は、四方を囲繞する周壁を構成する壁部である一対の端壁１１Ａ，１１Ｂおよび側壁１２Ａ，１２Ｂと、前記端壁１１Ａ，１１Ｂの上下端縁に連設したそれぞれ一対の上側内フラップ１５Ａ，１５Ｂおよび下側内フラップ１６Ａ，１６Ｂと、前記側壁１２Ａ，１２Ｂの上下端縁に連設したそれぞれ一対の上側外フラップ１７Ａ，１７Ｂおよび下側外フラップ１８Ａ，１８Ｂとを備え、第１から第８の破断手段２１〜２８により、その一部を分離して内部に収容した商品を露出できるようにしたものである。
【００１３】
具体的には、この包装箱は、表紙および裏紙の間に波状の中しんを配設した周知の段ボール紙を図示しない周知の紙器打抜装置によって図６に示す連続した一枚のブランクとして打ち抜き、所定部位を糊付けにより貼着して成形されている。なお、この段ボール紙には、製造時に裏紙の表面に中しんの延び方向と直交方向に延びる切離帯１０が貼着されている。この切離帯１０は、段ボール紙を中しんと直交する横方向に破断する第１および第６破断手段２１，２６を構成するもので、本実施形態では、一面に接着剤が塗布されたポリプロピレン製のテープが適用されている。
【００１４】
この包装箱のブランクは、図６に示すように、それぞれ矩形状をなす前記端壁１１Ａ，１１Ｂおよび側壁１２Ａ，１２Ｂが、左側から側壁１２Ａ、端壁１１Ａ、側壁１２Ｂおよび端壁１１Ｂの順番で直線的に連続するように設けられている。これらのうち、左端の側壁１２Ａの端縁には、右端の端壁１１Ｂの縁に貼着するための糊代部１３が連設されている。そして、これらの各境界部分には、肉厚を圧縮するように罫を入れて形成した折曲線１４が設けられている。
【００１５】
また、前記端壁１１Ａ，１１Ｂの上下端縁には、それぞれ矩形状の前記上側内フラップ１５Ａ，１５Ｂおよび下側内フラップ１６Ａ，１６Ｂが連設されている。さらに、側壁１２Ａ，１２Ｂの上下端縁には、それぞれ矩形状の前記上側外フラップ１７Ａ，１７Ｂおよび下側外フラップ１８Ａ，１８Ｂが連設されている。そして、上側に位置する端壁１１Ａ，１１Ｂと上側内フラップ１５Ａ，１５Ｂとの境界部分、および、側壁１２Ａ，１２Ｂと上側外フラップ１７Ａ，１７Ｂとの境界部分には、前記と同様の折曲線１９が設けられている。また、下側に位置する端壁１１Ａ，１１Ｂと下側内フラップ１６Ａ，１６Ｂとの境界部分、および、側壁１２Ａ，１２Ｂと下側外フラップ１８Ａ，１８Ｂとの境界部分には、折曲線２０が設けられている。
【００１６】
そして、本実施形態では、第１側壁１２Ａに第１破断手段２１、第２破断手段２２および第３破断手段２３が設けられている。また、この側壁１２Ａに連続する第１上側外フラップ１７Ａには第４破断手段２４が設けられている。さらに、組立状態で前記第４破断手段２４を形成した上側外フラップ１７Ａと上下に重畳する上側内フラップ１５Ａ，１５Ｂには第５破断手段２５が設けられている。さらにまた、組立状態で第１側壁１２Ａ，１２Ｂと隣接する端壁１１Ａ，１１Ｂには、第６破断手段２６、第７破断手段２７および第８破断手段２８が設けられている。
【００１７】
なお、前記第１から第３の破断手段２１〜２３により囲繞された第１側壁１２Ａの内部は第１分離部２９となる。また、前記第４破断手段２４、および、第１側壁１２Ａと上側外フラップ１７Ａの境界線である第３破断手段２３を含む折曲線１９で囲繞された内部は、側壁１２Ａと連続した直立可能な表示部３０となる。さらに、上側外フラップ１７Ａ，１７Ｂの縁と第５破断手段２５により囲繞された内部は第２分離部３１となる。さらにまた、第６から第８の破断手段２６〜２８により囲繞された端壁１１Ａ，１１Ｂの内部は、第３分離部３２となる。因みに、切離帯１０において、第１および第６破断手段２１，２６を構成する部分を除く部分は、該切離帯１０より上部を完全に分離するための破断手段として使用される。
【００１８】
具体的には、前記第１破断手段２１は、第１側壁１２Ａの下部において、連続する第１上側外フラップ１７Ａとの境界線である折曲線１９と平行な横方向に延びるように設けられた前記切離帯１０により構成される。この第１破断手段２１には、側壁１２Ａの両側近傍に位置するように、切離帯１０とともに段ボール紙を切断した第１切断部３３Ａ，３３Ｂが設けられている。これら第１切断部３３Ａ，３３Ｂは、破断始点および破断終点を構成するもので、左側に位置する第１切断部３３Ａは、左右いずれの方向でも破断を開始できるように略倒Ｈ字形状に形成されている。また、右側に位置する第１切断部３３Ｂは、該第１破断手段２１そのものである左側方向への破断を開始できるように略倒凹字形状に形成されている。
【００１９】
前記第２破断手段２２は、前記第１破断手段２１の両端である第１切断部３３Ａ，３３Ｂから第１上側外フラップ１７Ａとの境界線である折曲線１９にかけて縦方向に延びるもので、所定間隔をもって直線的に延びる切断ラインと、該切断ラインの下端に設けたガイドラインとからなる所謂片ジッパーにより構成されている。前記ガイドラインは、分離される第１分離部２９内に向けて下向きに傾斜するように設けられている。
【００２０】
前記第３破断手段２３は、一対の前記第２破断手段２２，２２の上端部間にかけて横方向に延びるもので、本実施形態では、上側外フラップ１７Ａとの境界線である折曲線１９と一致するように設けられている。この第３破断手段２３は、前記第２破断手段２２と同様に、所定間隔をもって直線的に延びる切断ラインと、該切断ラインの端部に設けたガイドラインとからなる片ジッパーにより構成されている。前記ガイドラインは、分離される第１分離部２９内に向けて下向きに傾斜するように設けられている。また、左側端部の切断ラインには、その両端にガイドラインが設けられている。
【００２１】
前記第４破断手段２４は、前記第１側壁１２Ａとの境界線である折曲線１９上の２点から第３破断手段２３を迂回するように第１上側外フラップ１７Ａに設けられるもので、本実施形態では、一対の前記第２破断手段２２の両外側にかけて設けられている。具体的には、本実施形態の第４破断手段２４は、前記折曲線１９と平行な横方向に延びる第１構成部２４ａと、該第１構成部２４ａの両端から折曲線１９に向けて縦方向に延びる第２構成部２４ｂとからなる略逆凹字形状のものである。前記第１構成部２４ａは、ガイドラインが内側に位置するように前記第２破断手段２２と同様の片ジッパーを対称に一対設けた所謂ジッパーにより構成され、その両端は前記第２破断手段２２，２２より外側に位置するように設けられている。また、前記第２構成部２４ｂは、第２破断手段２２と同様の片ジッパーにより構成され、第１構成部２４ａの両端から折曲線１９に対して直交するように設けられている。これにより、この第２構成部２４ｂ，２４ｂの下端と第２破断手段２２，２２の上端との間には、切断されていない連続部が形成される。
【００２２】
前記第５破断手段２５は、組立状態で前記第４破断手段２４に囲繞された表示部３０と重複する部分に上下に略一致するように形成されるもので、略Ｌ字形状に屈曲させた片ジッパーにより構成されている。この第５破断手段２５のガイドラインは、分離される第２分離部３１内に向けて傾斜するように設けられている。
【００２３】
前記第６破断手段２６は、第１破断手段２１と同様に、端壁１１Ａ，１１Ｂの下部において、連続する上側内フラップ１５Ａ，１５Ｂとの境界線である折曲線１９と平行な横方向に延びるように配設された前記切離帯１０により構成される。この第６破断手段２６には、各端壁１１Ａ，１１Ｂの両側近傍に位置するように、切離帯１０とともに段ボール紙を切断した第２切断部３４Ａ，３４Ｂが設けられている。これら第２切断部３４Ａ，３４Ｂは、第１切断部３３Ａ，３３Ｂと同様に破断始点および破断終点を構成するものである。そのうち、端壁１１Ｂに形成する右側の第２切断部３４Ｂは、左右いずれの方向でも破断を開始できるように略倒Ｈ字形状に形成されている。また、他の第２切断部３４Ａ，３４Ｂは、左側方向への破断を開始できるように略倒凹字形状に形成されている。
【００２４】
前記第７破断手段２７は、前記第６破断手段２６の両端である第２切断部３４Ａ，３４Ｂから上側内フラップ１５Ａ，１５Ｂとの境界線である折曲線１９にかけて縦方向に延びるもので、所定間隔をもって直線的に延びる切断ラインと、該切断ラインの下端に設けたガイドラインとからなる片ジッパーにより構成されている。前記ガイドラインは、分離される第３分離部３２内に向けて下向きに傾斜するように設けられている。
【００２５】
前記第８破断手段２８は、一対の前記第７破断手段２７，２７の上端部間にかけて横方向に延びるもので、本実施形態では、上側内フラップ１５Ａ，１５Ｂとの境界線である折曲線１９と一致するように設けられている。この第８破断手段２８は、所定間隔をもって直線的に延びる切断ラインと、該切断ラインの端部に設けたガイドラインとからなる片ジッパーにより構成されている。前記ガイドラインは、分離される第３分離部３２内に向けて下向きに傾斜するように設けられている。また、左側端部の切断ラインには、その両端にガイドラインが設けられている。
【００２６】
前記構成の包装箱は、前記ブランク形状に打ち抜く前段階で、段ボール紙の表紙に収容する商品に基づいた表示が印刷される。そして、本実施形態では、第４破断手段２４と折曲線１９とで囲繞された表示部３０には、収容する商品を理解し易い独立した表示が施されている。そして、この包装箱の製造メーカでは、前記ブランクの糊代部１３に酢酸ビニルエマルジョンなどの接着剤を塗布し、折曲線１４に沿って端壁１１Ａに対して側壁１２Ａを折り曲げるとともに、側壁１２Ｂに対して端壁１１Ｂを折り曲げ、該端壁１１Ｂの縁に糊代部１３を貼着した状態で所定のメーカに納品する。
【００２７】
また、所定の商品を製造するメーカでは、まず、下側内フラップ１６Ａ，１６Ｂを端壁１１Ａ，１１Ｂに対して折り曲げた後、下側外フラップ１８Ａ，１８Ｂを側壁１２Ａ，１２Ｂに対して折り曲げ、重複した下側内フラップ１６Ａ，１６Ｂと、下側外フラップ１８Ａ，１８Ｂとをホットメルトなどによる糊付けで貼着する。
【００２８】
その後、包装箱の開放した上側から製造した商品を収容させた後、前記と同様に、上側内フラップ１５Ａ，１５Ｂを折り曲げた後、上側外フラップ１７Ａ，１７Ｂを折り曲げて糊付けする。この際、上側外フラップ１７Ａ，１７Ｂと上側内フラップ１５Ａ，１５Ｂとを糊付けする部分は、上側内フラップ１５Ａ，１５Ｂにおける第２分離部３１を除く部分とすることが好ましい。しかし、必ずしも第２分離部３１を除く部分だけに制限する必要はなく、非常に制限がないものである。
【００２９】
一方、前記包装箱に収容した商品を販売する販売店の店頭では、図１に示すように、包装箱を積み上げ、その最上段の包装箱の一部を開放状態として内部に収容した商品を展示するとともに、表示部３０を直立状態として、その包装箱の展示場所から離れた位置の消費者でも商品を確認できるようにする。
【００３０】
具体的には、展示状態での正面（本実施形態の場合には側壁１２Ａの側）を露出させる場合、まず、図２（Ａ）に示すように、第１側壁１２Ａの第１破断手段２１において、例えば左側の第１切断部３３Ａにより形成された端縁を切離帯１０とともに把持し、右側に引っ張る。これにより、側壁１２Ａは、切離帯１０によって裂かれるように破断される。なお、この破断は、右側の第１切断部３３Ｂに達すると停止する。
【００３１】
ついで、第１破断手段２１による破断により形成された隙間部分に手を差し込み、第１分離部２９の下端縁を把持する。そして、図中、上向きに引き上げることにより、第２破断手段２２に沿って第３破断手段２３まで側壁１２Ａを破断する。その後、第１分離部２９の右側縁を把持し、図中左向きに引っ張ることにより、第３破断手段２３に沿って側壁１２Ａを破断する。これにより、図２（Ｂ）に示すように、第１から第３の破断手段２１〜２３によって囲繞された第１分離部２９が分離される。
【００３２】
次に、図３（Ａ）に示すように、第１上側外フラップ１７Ａの第４破断手段２４において、例えば第１構成部２４ａの左側の端部に指を差し込んでその端部を把持し、右側に引っ張る。これにより、上側外フラップ１７Ａは、ジッパー構造からなる第４破断手段２４の第１構成部２４ａにより部分的に破断される。
【００３３】
ついで、第４破断手段２４の第１構成部２４ａによる破断により形成された隙間部分に手を差し込み、表示部３０の縁を把持する。そして、図中手前に引っ張ることにより、第４破断手段２４の第２構成部２４ｂに沿って上側外フラップ１７Ａを破断する。これにより、図３（Ｂ）に示すように、第１側壁１２Ａとの境界線である折曲線１９の２点間にかけて第３破断手段２３を迂回するように形成した第４破断手段２４によって囲繞された表示部３０が、第２破断手段２２による破断縁との間の折曲線１９に沿って連続した状態で、直立状態に起き上げることができる。
【００３４】
なお、前記表示部３０を直立させた状態では、それにより生じた開口部分からも内部の商品が露出される。しかし、その露出（開口）面積は、内部に位置する上側内フラップ１５Ａ，１５Ｂの存在により狭くなっている。
【００３５】
そこで、露出した上側内フラップ１５Ａ，１５Ｂの先端縁を把持し、それぞれ第５破断手段２５に沿って上側内フラップ１５Ａ，１５Ｂを破断する。これにより、図４に示すように、上側内フラップ１５Ａ，１５Ｂによって覆い隠す部分を低減し、包装箱内に収容した商品を上方からも露出させることができる。
【００３６】
このように、本実施形態の包装箱では、第１から第３の破断手段２１〜２３により第１分離部２９を簡単に分離して内部に収容した商品を露出させることができる。また、第４破断手段２４により表示部３０を直立させることができる。さらに、第５破断手段２５により第２分離部３１を簡単に分離し、表示部３０を直立させることにより生じる開口部分からも内部の商品を露出させることができる。
【００３７】
そのため、従来と同様の販売促進効果を得ることができるうえ、直立される表示部３０に商品に基づいた広告を施しておくことにより、包装箱の展示場所から離れた位置の消費者でも商品を確認することができる。その結果、集客効果および訴求効果を大幅に向上することができる。
【００３８】
しかも、本実施形態では、第５破断手段２５を第４破断手段２４と略一致するように設けているため、万が一、包装箱の閉塞時に第２分離部３１の領域にも接着剤が塗布され、上側外フラップ１７Ａと貼着されている状況でも、第５破断手段２５により第２分離部３１を一緒に分離して同様の状態とすることができる。そのため、分離作業性を大幅に向上することができる。
【００３９】
なお、図１に示す展示状態で側面（本実施形態の場合には端壁１１Ａ，１１Ｂの側）を露出させる場合、まず、図５（Ａ）に示すように、端壁１１Ａ，１１Ｂの第６破断手段２６において、例えば第２切断部３４Ａの縁を切離帯１０とともに把持し、それぞれ右側の第２切断部３４Ｂの側に引っ張る。これにより、端壁１１Ａ，１１Ｂは、側壁１２Ａと同様に、切離帯１０によって裂かれるように破断される。
【００４０】
ついで、第６破断手段２６による破断により形成された隙間部分に手を差し込み、第３分離部３２の縁を把持する。そして、図中、上向きに引き上げることにより、第７破断手段２７に沿って第８破断手段２８まで端壁１１Ａ，１１Ｂを破断する。その後、第３分離部３２の右側縁を把持し、図中左向きに引っ張ることにより、第８破断手段２８に沿って端壁１１Ａ，１１Ｂを破断する。これにより、図５（Ｂ）に示すように、第６から第８の破断手段２６〜２８によって囲繞された第３分離部３２が分離される。
【００４１】
このように、本実施形態の包装箱では、第１および第６の破断手段２１，２６に切離帯１０を使用しているため、包装箱自身の剛性が低下することを最小限に抑えることができる。しかも、端壁１１Ａ，１１Ｂをも一部を分離して内部を露出できるようにしているため、販売促進効果を十分に得ることができる。
【００４２】
なお、本発明の包装箱は、前記各実施形態の構成に限定されるものではなく、種々の変更が可能である。
【００４３】
例えば、図７および図８に示すように、第２破断手段２２を形成する高さ、および、第４破断手段２４を形成する形状は希望に応じて変更が可能である。
【００４４】
具体的には、この変形例の第１側壁１２Ａに形成する一対の第２破断手段２２，２２は、第１破断手段２１の両端から連続する第１上側外フラップ１７Ａとの境界線である折曲線１９の近傍にかけて縦方向に延びるように形成している。即ち、前記実施形態では、第２破断手段２２，２２は、折曲線１９に到達するまで延びるように形成したのに対し、この変形例では、折曲線１９に到達しない位置までしか延びないように形成されている。これにより、一対の第２破断手段２２，２２間に形成される第３破断手段２３は、折曲線１９と所定間隔をもって平行に設けられる。
【００４５】
また、この変形例の第１上側外フラップ１７Ａに形成する第４破断手段２４は、第１側壁１２Ａとの境界線である折曲線１９上の２点から該折曲線１９と交差しないように円弧状に迂回するように設けた片ジッパーからなる。しかも、前記実施形態では、この第４破断手段２４の端部である第２構成部２４ｂは、一対の第２破断手段２２，２２の両外側に位置させたのに対し、本実施形態では、第４破断手段２４の両端部は、一対の第２破断手段２２，２２の内側に位置させている。
【００４６】
このように、第２破断手段２２を形成する縦方向の寸法や、第４破断手段２４による表示部３０の形状は種々の変更が可能であり、このようにしても前記と同様の販売促進効果、集客効果および訴求効果を同様に得ることができる。
【００４７】
さらに、前記実施形態のように、第４破断手段２４の端部を一対の第２破断手段２２，２２の両外側に位置させる場合には、第２破断手段２２，２２を連続する上側外フラップ１７Ａまで延びるように構成し、第３破断手段２３を上側外フラップ１７Ａに設ける構成としてもよい。さらにまた、第１分離部２９および表示部３０は、一方の側壁１２Ａおよび上側外フラップ１７Ａにのみ設けたが、他方の側壁１２Ｂおよび上側外フラップ１７Ｂにのみ設けてもよく、両方に設けてもよい。
【００４８】
さらにまた、前記フラップ１５Ａ，１５Ｂ〜１８Ａ，１８Ｂによる封緘構造は、接着剤や粘着テープによる貼着に限られず、隣接するフラップに係合構造を用いた再封緘可能な構造のものであってもよい。
【００４９】
そして、前記実施形態では、包装箱を平面視矩形状をなすように４つの壁部（端壁１１Ａ，１１Ｂ、側壁１２Ａ，１２Ｂ）により構成したが、平面視六角形状や平面視八角形状など、３以上の壁部からなる平面視多角形状の包装箱において、所定の壁部および連続するフラップに、分離部２９および表示部３０を形成するための破断手段を設けることにより、同様の作用および効果を得ることができる。
【図面の簡単な説明】
【００５０】
【図１】本発明の実施形態に係る包装箱を示す斜視図である。
【図２】（Ａ），（Ｂ）は包装箱の一部を分離する工程を示す斜視図である。
【図３】（Ａ），（Ｂ）は包装箱の表示部を直立させる工程を示す斜視図である。
【図４】第１および第２分離部を分離するとともに表示部を直立させた状態を示す斜視図である。
【図５】（Ａ），（Ｂ）は包装箱の他の部分を分離する工程を示す斜視図である。
【図６】本実施形態の包装箱のブランクを示す平面図である。
【図７】包装箱の変形例を示す斜視図である。
【図８】図７の変形例の包装箱のブランクを示す平面図である。
【符号の説明】
【００５１】
１１Ａ，１１Ｂ…端壁                    １２Ａ，１２Ｂ…側壁
１５Ａ，１５Ｂ…上側内フラップ          １６Ａ，１６Ｂ…下側内フラップ
１７Ａ，１７Ｂ…上側外フラップ          １８Ａ，１８Ｂ…下側外フラップ
２１…第１破断手段                      ２２…第２破断手段
２３…第３破断手段                      ２４…第４破断手段
２５…第５破断手段                      ２６…第６破断手段
２７…第７破断手段                      ２８…第８破断手段
２９…第１分離部                        ３０…表示部
３１…第２分離部                        ３２…第３分離部
【図１】
2006160320.tif 000003
【図２】
2006160320.tif 000004
【図３】
2006160320.tif 000005
【図４】
2006160320.tif 000006
【図５】
2006160320.tif 000007
【図６】
2006160320.tif 000008
【図７】
2006160320.tif 000009
【図８】
2006160320.tif 000010